【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
記憶媒体に記録された画像データと、携帯端末装置を個別に識別する識別情報であって、前記画像データに関連付けて前記記憶媒体に記録された第１識別情報とを読み込む読込手段と、
前記携帯端末装置を個別に識別する識別情報であって、複数の携帯端末装置との間で送受信して一以上の外部の前記携帯端末装置により送信される第２識別情報を取得する識別情報取得手段と、
前記識別情報取得手段による前記第２識別情報の取得に応じて前記読込手段を制御し、前記識別情報取得手段により取得された前記第２識別情報の何れかに対応する第１識別情報が関連付けられた前記画像データを一つの表示器に表示させる画像の画像データとして選択して前記記憶媒体から読み込ませる画像選択手段とを備えることを特徴とする画像表示装置。
【請求項２】
請求項１に記載の画像表示装置において、
前記画像選択手段は、前記読込手段により読み込まれた画像データの画像を前記表示器に表示させることを特徴とする画像表示装置。
【請求項３】
請求項２に記載の画像表示装置において、
被写体像を撮像して画像データを生成する撮像手段と、
記録制御手段とをさらに備え、
前記識別情報取得手段は、前記撮像手段による撮像に連動して前記携帯端末装置から前記第２識別情報を取得するものであり、
前記記録制御手段は、前記撮像に連動して取得された前記第２識別情報を、前記撮像手段により生成された前記画像データに関連付けて、前記第１識別情報として前記記憶媒体に記録することを特徴とする画像表示装置。
【請求項４】
請求項３に記載の画像表示装置において、
前記撮像手段により生成された前記画像データに対応する画像を再生表示する表示器をさらに備え、
前記識別情報取得手段は、前記被写体方向に対して指向性を有し、前記撮像に連動して前記第２識別情報を取得するための第１アンテナと、前記表示器の再生表示方向に指向性を有し前記再生表示時に前記第２識別情報を取得するための第２アンテナとを含むことを特徴とする画像表示装置。
【請求項５】
請求項３または４に記載の画像表示装置において、
前記識別情報取得手段は、前記撮像手段による撮像に連動して、前記携帯端末装置の種類を識別するための装置種類識別情報をさらに取得し、
前記記録制御手段は、前記識別情報取得手段により取得された前記装置種類識別情報のうち特定の前記装置種類識別情報に対応する前記識別情報を前記第１識別情報として前記画像データに関連付けて前記記憶媒体に記録し、前記特定の装置種類識別情報以外の前記装置種類識別情報に対応する前記識別情報を前記画像データに関連付けて前記記憶媒体に記録することを禁止することを特徴とする画像表示装置。
【請求項６】
請求項３乃至５の何れか一項に記載の画像表示装置において、
前記識別情報取得手段は、前記第２識別情報を含む信号を取得した際の前記信号の受信信号強度を検出し、
前記記録制御手段は、前記撮像に連動して前記識別情報取得手段により取得された前記第２識別情報のうち、前記検出された前記受信信号強度がしきい値よりも強い前記信号に含まれる前記第２識別情報を、前記撮像手段により生成された前記画像データに関連付けて、前記第１識別情報として記録することを特徴とする画像表示装置。
【請求項７】
請求項６に記載の画像表示装置において、
前記しきい値を指定する指定操作を受け付ける第１受付手段をさらに備えることを特徴とする画像表示装置。
【請求項８】
請求項３乃至７の何れか一項に記載の画像表示装置において、
前記識別情報取得手段は、所定の周期で前記第２識別情報を取得し、
前記記録制御手段は、前記被写体像の撮像が指示される前に前記識別情報取得手段により既に取得された前記第２識別情報を前記撮像手段により生成された前記画像データに関連付けて、前記第１識別情報として記録することを特徴とする画像表示装置。
【請求項９】
請求項３乃至８の何れか一項に記載の画像表示装置において、
前記識別情報取得手段は、前記被写体像の撮像の指示に応じて前記第２識別情報を取得し、
前記記録制御手段は、前記撮像の指示に応じて前記識別情報取得手段により取得された前記第２識別情報を前記撮像手段により生成された前記画像データに関連付けて、前記第１識別情報として記録することを特徴とする画像表示装置。
【請求項１０】
請求項３乃至９の何れか一項に記載の画像表示装置において、
前記撮像手段により生成された前記画像データから人物の顔に対応する顔画像データを検出する顔検出手段をさらに備え、
前記記録制御手段は、前記顔検出手段により前記顔画像データが検出された場合に、前記第２識別情報を前記画像データに関連付けて、前記第１識別情報として記録することを特徴とする画像表示装置。
【請求項１１】
請求項５に記載の画像表示装置において、
前記装置種類識別情報を選択する選択操作を受け付ける第２受付手段と、
前記選択操作により選択された前記装置種類識別情報を前記特定の装置種類識別情報として設定する装置情報設定手段とを備えることを特徴とする画像表示装置。
【請求項１２】
請求項２乃至４の何れか一項に記載の画像表示装置において、
前記読込手段は、前記画像データに関連付けされた情報であって、前記携帯端末装置の種類を識別するための装置種類識別情報をさらに読み込み、
前記画像選択手段は、特定の前記装置種類識別情報が関連付けされた画像データであって、前記識別情報取得手段により取得された前記第２識別情報の何れかに一致する前記第１識別情報が関連付けされた前記画像データを選択することを特徴とする画像表示装置。
【請求項１３】
請求項２乃至５の何れか一項に記載の画像表示装置において、
前記読込手段は、前記画像データに関連付けされた情報であって、前記第１識別情報を含む信号が取得されたときの前記信号の受信信号強度に関する情報をさらに読み込み、
前記画像選択手段は、前記受信信号強度がしきい値よりも高い信号の前記受信信号強度に関する情報と関連付けされた前記画像データであって、前記識別情報取得手段により取得された前記第２識別情報に一致する前記第１識別情報が関連付けされた前記画像データを選択することを特徴とする画像表示装置。
【請求項１４】
請求項２乃至５の何れか一項に記載の画像表示装置において、
前記識別情報取得手段は、前記第２識別情報を含む信号を取得した際の前記信号の受信信号強度を検出し、
前記画像選択手段は、前記識別情報取得手段により取得された前記第２識別情報のうち、前記検出された受信信号強度が最も強い信号に含まれる前記第２識別情報に一致する前記第１識別情報と関連付けされた前記画像データを選択することを特徴とする画像表示装置。
【請求項１５】
請求項２乃至５の何れか一項に記載の画像表示装置において、
前記識別情報取得手段は、前記第２識別情報を含む信号を取得した際の前記信号の受信信号強度を検出し、
前記画像選択手段は、前記識別情報取得手段により取得された前記第２識別情報のうち、前記検出された前記受信信号強度が所定の強度よりも強い信号に含まれる前記第２識別情報に一致する前記第１識別情報と関連付けされた前記画像データを選択することを特徴とする画像表示装置。
【請求項１６】
請求項２乃至９の何れか一項に記載の画像表示装置において、
前記画像データから人物の顔に対応する顔画像データを検出する顔検出手段をさらに備え、
前記画像選択手段は、前記顔検出手段により前記顔画像データが検出された前記画像データのみを選択することを特徴とする画像表示装置。
【請求項１７】
請求項２乃至７の何れか一項に記載の画像表示装置において、
前記識別情報取得手段は、所定の周期ごとに前記携帯端末装置から前記第２識別情報を取得し、
前記識別情報取得手段により新たに取得された前記第２識別情報が以前に取得された前記第２識別情報から変化した場合には、前記画像選択手段は、前記識別情報取得手段により前記新たに取得された前記第２識別情報に一致する前記第１識別情報と関連付けされた前記画像データを以前に選択した前記画像データに代えて選択することを特徴とする画像表示装置。
【請求項１８】
請求項２乃至８の何れか一項に記載の画像表示装置において、
前記携帯端末装置の前記第２識別情報の取得を指示する取得指示操作を受け付ける第３受付手段をさらに備え、
前記識別情報取得手段は、前記第３受付手段により受け付けられた前記取得指示操作に応じて前記第２識別情報を取得し、
前記画像選択手段は、前記取得指示操作に応じて前記識別情報取得手段により取得された前記第２識別情報に一致する前記第１識別情報と関連付けされた前記画像データを選択することを特徴とする画像表示装置。
【請求項１９】
請求項２乃至８の何れか一項に記載の画像表示装置において、
前記画像選択手段は、前記識別情報取得手段により取得された前記第２識別情報のうち特定の第２識別情報に一致する前記第１識別情報と関連付けされた前記画像データを選択することを特徴とする画像表示装置。
【請求項２０】
請求項１９に記載の画像表示装置において、
前記特定の第２識別情報を選択するための選択画面を前記表示器に表示する第１表示制御手段と、
前記第１表示制御手段により前記表示器に表示された前記選択画面上で複数の前記第２識別情報の何れかを選択する選択操作を受け付ける第４受付手段と、
前記第４受付手段の操作により選択された前記第２識別情報を前記特定の第２識別情報として設定する識別情報設定手段とをさらに備えることを特徴とする画像表示装置。
【請求項２１】
請求項２０に記載の画像表示装置において、
前記第１表示制御手段は、前記識別情報取得手段により取得された前記第２識別情報に基づいて、前記選択画面を前記表示器に表示することを特徴とする画像表示装置。
【請求項２２】
請求項１９乃至２１の何れか一項に記載の画像表示装置において、
所定条件を満たす前記第２識別情報を前記特定の第２識別情報として設定する識別情報設定手段をさらに備えることを特徴とする画像表示装置。
【請求項２３】
請求項２に記載の画像表示装置において、
前記画像選択手段は、前記識別情報取得手段により取得された前記第２識別情報の何れかに一致する前記第１識別情報と関連付けされた前記画像データから、特定の第１識別情報に関連付けされた前記画像データを除外して、前記画像データを選択することを特徴とする画像表示装置。
【請求項２４】
請求項２３に記載の画像表示装置において、
前記特定の第１識別情報を選択するための選択画面を前記表示器に表示する第２表示制御手段と、
前記第２表示制御手段により前記表示器に表示された前記選択画面上で、複数の前記第１識別情報の何れかを選択する選択操作を受け付ける第５受付手段と、
前記第５受付手段により受け付けられた前記第１識別情報を前記特定の第１識別情報として設定する第２識別情報設定手段とをさらに備えることを特徴とする画像表示装置。
【請求項２５】
請求項２３または２４に記載の画像表示装置において、
所定条件を満たす前記第１識別情報を前記特定の第１識別情報として設定する第３識別情報設定手段をさらに備えることを特徴とする画像表示装置。
【請求項２６】
請求項２４に記載の画像表示装置において、
前記第２表示制御手段は、前記読込手段により読み込まれた画像データに関連付けされた前記第１識別情報に基づいて、前記選択画面を前記表示器に表示することを特徴とする画像表示装置。
【手続補正２】
【補正対象書類名】明細書
【補正対象項目名】０００５
【補正方法】変更
【補正の内容】
【０００５】
請求項１に記載の発明による画像表示装置は、記憶媒体に記録された画像データと、携帯端末装置を個別に識別する識別情報であって、前記画像データに関連付けて前記記憶媒体に記録された第１識別情報とを読み込む読込手段と、携帯端末装置を個別に識別する識別情報であって、複数の携帯端末装置との間で送受信して一以上の外部の携帯端末装置により送信される第２識別情報を取得する識別情報取得手段と、一以上の外部の携帯端末装置により送信される第２識別情報を取得する識別情報取得手段と、識別情報取得手段による第２識別情報の取得に応じて読込手段を制御し、識別情報取得手段により取得された第２識別情報の何れかに対応する第１識別情報が関連付けられた前記画像データを一つの表示器に表示させる画像の画像データとして選択して記憶媒体から読み込ませる画像選択手段とを備えることを特徴とする。
【手続補正３】
【補正対象書類名】明細書
【補正対象項目名】００５７
【補正方法】変更
【補正の内容】
【００５７】
ユーザのコマ戻し操作に応じて入力スイッチ１０１からコマ戻しを指示する信号を入力すると、表示制御部１０４ｅは、再生ファイルリストに記録された画像ファイルのうち、現在表示中の画像に対応する画像ファイルよりも画像撮影日時の順序が１つ古い画像ファイルを選択する。この場合、再生ファイルリストのＬ(２)段に記録された画像ファイルの画像が表示されているときに、ユーザによりコマ戻し操作が行われた場合は、表示制御部１０４ｅは、再生ファイルリストのＬ(３)段に記録されたフォルダ番号およびファイル番号に対応する画像ファイルを選択する。
【手続補正４】
【補正対象書類名】明細書
【補正対象項目名】００６２
【補正方法】変更
【補正の内容】
【００６２】
ステップＳ３０５においては、周囲装置から識別情報を取得するための通信周期であるか否かを判定する。通信周期の場合は、ステップＳ３０５が肯定判定されてステップＳ３０６へ進む。通信周期ではない場合は、ステップＳ３０５が否定判定されてステップＳ３０９へ進む。ステップＳ３０６においては、現在の再生周囲装置リストを記憶部１０６から読み出し、ＲＡＭ１０５に格納してステップＳ３０７へ進む。
【手続補正５】
【補正対象書類名】明細書
【補正対象項目名】００６６
【補正方法】変更
【補正の内容】
【００６６】
ステップＳ４０５では、ＲＡＭ１０５に格納された周囲装置の識別情報を用いて再生周囲装置リストを作成してステップＳ４０６へ進む。ステップＳ４０６では、作成した再生周囲装置リストを記憶部１０６へ記録して処理を終了する。ステップＳ４０４が否定判定されるとステップＳ４０７へ進み、周囲装置情報リストに含まれる次の周囲装置に対応する強度情報を参照してステップＳ４０２へ戻る。
【手続補正６】
【補正対象書類名】明細書
【補正対象項目名】００９９
【補正方法】変更
【補正の内容】
【００９９】
以上で説明した第２の実施の形態によれば、第１の実施の形態で得られた効果に加えて、さらに以下の作用効果が得られる。
（１）表示制御部１０４ｅは、通信制御部１０４ｃにより取得された識別情報に合致する識別情報が記録された画像ファイルから、特定の識別情報が記録された画像ファイルを除外して、画像ファイルを選択するようにした。たとえば、人物Ａが人物Ｂを撮影する場合、人物Ａが所持する携帯電話等の識別情報を特定の識別情報として指定されたとする。この場合には、人物Ｂが画像を閲覧するときに、人物Ａが撮影されているが人物Ｂが撮影されていない画像、すなわち閲覧者である人物Ｂが表示を所望しない画像がＬＣＤ１０８に表示されることが防げる。
【手続補正７】
【補正対象書類名】明細書
【補正対象項目名】０１０２
【補正方法】変更
【補正の内容】
【０１０２】
ユーザにより画像が選択されると、読込部１０４ｄは、選択された画像の画像ファイルの付加情報部に記録された周囲装置情報リストを読み出す。そして、通信制御部１０４ｃは、読み出された周囲装置情報リストに記録された識別情報に対応する周囲装置のデバイス名を取得する。すなわち、通信制御部１０４ｃは、周囲装置に対して、デバイス名の送信を要求する信号（名前要求信号）を通信部１１０を介して送信する。そして、通信制御部１０４ｃは、名前要求信号に応じて周囲装置から送られたデバイス名を示す信号を通信部１１０を介して受信して、識別情報とデバイス名とを関連付けてＲＡＭ１０５に格納する。デバイス名が取得されると、表示制御部１０４ｅは、第２の実施の形態で説明した場合と同様にして非表示人物所持装置リストを作成する。なお、表示制御部１０４ｅは、ユーザにより選択された画像の画像ファイルが有する周囲装置情報リストに含まれる全ての識別情報を非表示人物所持装置リストに記録するようにしてもよい。換言すると、表示制御部１０４ｅは、ユーザが選択した画像ファイルが有する周囲装置情報リストに記録された全ての識別情報を所定条件を満たす識別情報として特定して、非表示人物所持装置リストに登録してもよい。
【手続補正８】
【補正対象書類名】明細書
【補正対象項目名】０１２７
【補正方法】変更
【補正の内容】
【０１２７】
変形例１の電子カメラ１００は、撮影モードが設定されている場合には、前方アンテナ１１０FWDの指向性により、撮影者や、電子カメラ１００の近傍に位置するが被写体とはなっていない人物が所持している携帯電話等の周囲装置と情報の送受信を行わない。その結果、被写体となっていない人物が所持する携帯電話等の周囲装置の識別情報が画像ファイルに記録されることを防げる。また、電子カメラ１００は、再生モードが設定されている場合には、後方アンテナ１１０AFTの指向性により、電子カメラ１００のＬＣＤ１０８に表示される画像を閲覧しようとする人物が所持する携帯電話等の周囲装置以外の周囲装置と情報の送受信を行わない。その結果、画像を閲覧しようとする人物とは異なる人物が所持する携帯電話等の周囲装置の識別情報や、電子カメラ１００の近傍に配置される閲覧者とは無関係な周囲装置の識別情報に起因して、閲覧者が所望する画像とは異なる画像が表示されることが防げる。
【手続補正９】
【補正対象書類名】明細書
【補正対象項目名】０１３２
【補正方法】変更
【補正の内容】
【０１３２】
−変形例４−
通信制御部１０４ｃは、最も強い受信信号強度で信号を送信した周囲装置の識別情報を再生周囲装置リストに記録するようにしてもよい。この場合、通信制御部１０４ｃは、ＲＡＭ１０５に格納した受信信号強度がしきい値より強い強度情報に対応する周囲装置の識別情報のうち、受信信号強度が最も強い強度情報に対応する周囲装置の識別情報を選択して再生周囲装置リストに記録する。そして、表示制御部１０４ｅは、画像ファイルが有する周囲装置情報リストと、受信信号強度が最も強い強度情報に対応する周囲装置の識別情報が記録された再生周囲装置リストとに基づいて再生ファイルリストを作成する。その結果、表示制御部１０４ｅは、通信制御部１０４ｃを介して取得された識別情報のうち、最も受信信号強度が強い識別情報と関連付けされた画像ファイルを選択する。この場合、図８に示すフローチャートにおいて、通信制御部１０４ｃは、ステップＳ４０４が肯定判定された後に、上述したようにＲＡＭ１０５に格納された識別情報のうち、受信信号強度が最も強い強度情報に対応する周囲装置の識別情報を選択する。そして、ステップＳ４０５へ進み、選択した識別情報を用いて再生周囲装置リストを作成すればよい。